(57)【要約】【課題】携帯電話の高熱状態を抑え、より安定的に持ち運びが便利な携帯情報端末収容具を提供する。【解決手段】本発明の一観点に係る携帯情報端末収容具は、多孔性薄布で構成され携帯情報端末を収容するための空間を形成する袋部と、袋部に接続される引掛部と、を備えるものである。本観点において限定されるわけではないが、袋部の開閉を行う開閉部を備えることが好ましい。この場合において多孔性薄布は、メッシュ生地であることが好ましい。またこの場合において多孔性薄膜は、布又は皮革に多数の小孔が形成されたものであることが好ましい。なお、この場合において引掛部は紐部材であることが好ましい。【選択図】図１
2019136054.tif 000002
【特許請求の範囲】
【請求項１】
多孔性薄布で構成され携帯情報端末を収容するための空間を形成する袋部と、
前記袋部に接続される引掛部と、を備える携帯情報端末収容具。
【請求項２】
前記袋部の開閉を行う開閉部を備える請求項１記載の携帯情報端末。
【請求項３】
前記多孔性薄布は、メッシュ生地である請求項１記載の携帯情報端末収容具。
【請求項４】
前記多孔性薄膜は、布又は皮革に多数の小孔が形成されたものである請求項１記載の携帯情報端末収容具。
【請求項５】
前記引掛部は紐部材である請求項１記載の携帯情報端末。
【発明の詳細な説明】
【技術分野】
【０００１】
本発明は、携帯情報端末を収容する携帯情報端末収容具に関する。
【背景技術】
【０００２】
いわゆるスマートフォン等の携帯情報端末は現代の生活において欠かすことのできない重要な機器である。
【０００３】
一般に携帯情報端末は、服のポケット等に入れる場合が多く、仮にポケット等に入れない場合は、財布や筆記用具等とともにカバン等の中に入れておくことが多い。
【発明の概要】
【発明が解決しようとする課題】
【０００４】
しかしながら、上記の場合においては、多くの場合、携帯情報端末の使用や充電等によって携帯情報端末が発熱してしまう。具体的には、服のポケットやカバン等に入れると熱の逃げる場所がなく、熱がこもる結果、携帯情報端末が熱くなってしまう。この携帯情報端末において高温状態が続くことは電池やＣＰＵ等のその他の機器の劣化につながる。またカバン等に収容してしまうと、携帯電話に着信があった場合等その通知のための音や光を認識することは困難であり、即時性に関する利便性が大きく損なわれる。
【０００５】
また、発熱による高温状態を避けるために携帯情報端末の使用を控えることや省電力モードにすること、更には風通しの良い場所に静置しておくことも考えられるが、これらは携帯情報端末の機能、利便性の低下につながるものであり、可能な限り避けたい。
【０００６】
そこで、本発明は、上記課題に鑑み、携帯電話の高熱状態を抑え、より安定的に持ち運びが便利な携帯情報端末収容具を提供することを目的とする。
【課題を解決するための手段】
【０００７】
上記課題を解決する本発明の一観点に係る携帯情報端末収容具は、多孔性薄布で構成され携帯情報端末を収容するための空間を形成する袋部と、袋部に接続される引掛部と、を備えるものである。
【０００８】
また、本観点において限定されるわけではないが、袋部の開閉を行う開閉部を備えることが好ましい。
【０００９】
また、本観点において限定されるわけではないが、多孔性薄布は、メッシュ生地であることが好ましい。
【００１０】
また、本観点において限定されるわけではないが、多孔性薄膜は、布又は皮革に多数の小孔が形成されたものであることが好ましい。
【００１１】
また、本観点において限定されるわけではないが、引掛部は紐部材であることが好ましい。
【発明の効果】
【００１２】
以上、本発明によって、携帯電話の高熱状態を抑え、より安定的に持ち運びが便利な携帯情報端末収容具を提供することができる。
【図面の簡単な説明】
【００１３】
【図１】実施形態に係る携帯情報端末収容具の概略を示す図である。
【図２】実施形態に係る携帯情報端末収容具の開口部の概略を示す図である。
【図３】実施形態に係る携帯情報端末収容具の引掛部の概略を示す図である。
【発明を実施するための最良の形態】
【００１４】
以下、本発明の実施形態について図面を用いて詳細に説明する。ただし、本発明は多くの異なる形態による実施が可能であり、以下に示す実施形態、実施例に記載された例示にのみ狭く限定されるものではない。
【００１５】
図１は、本実施形態に係る携帯情報端末収容具（以下「本収容具」という。）１の概略を示す図である。
【００１６】
本図で示すように、本収容具１は、多孔性薄布で構成され携帯情報端末を収容するための空間２１を形成する袋部２と、袋部２に接続される引掛部３と、を備えるものである。また、本収容具１は、袋部２において袋部２の開閉を行う開閉部２２を備えている。
【００１７】
本収容具１において、袋部２は、上記の通り、多孔性薄布で構成され携帯情報端末を収容するための空間２１を備えている。また袋部２は、少なくとも一部開口２３を備えており、この開口２３から情報携帯端末を出し入れすることができる。
【００１８】
ここで「多孔性薄布」とは、多数の孔が形成された薄い布材を意味する。この布材として特に限定されるわけではなく、天然素材、人工素材のいずれであってもよく、このまま使用することもでき、また糸状になった素材を編むことにより布としたものであってもよい。また限定されるわけではないが、天然素材であれば、麻や綿等、また天然の皮革を例示することができる。また、人工素材の場合、ポリエステル、ナイロン、アクリル、ポリオレフィン、ポリウレタン等の等の合成繊維を用いることができ、また細い金属ワイヤ又は上記合成繊維の表面に金属をコーティングしたものであってもよい。
【００１９】
また、本収容具１において、多孔性薄布は、文字通り多孔性のものであり、多数の孔を備えたものとなっている。この多孔性に関しては特に限定されるわけではないが、隙間が多くなるよう糸材が編み込まれた布であってもよく、皮革に多数の小孔が形成されたものであってもよい。皮革は天然の比較であっても合成の比較であってもよい。多数の孔を備えることで通気性を確保することが可能となり、携帯情報端末の発熱を抑えることができる。また、多数の孔を備えることで、携帯情報端末の着信音やアラーム音等がこもって外に聞こえなくなってしまう虞を防止することが可能とであり、また、多数の孔により携帯情報端末が着信等によって発光した場合に、この発光を視認することが可能となるといった利点がある。
【００２０】
上記の記載から明らかであるが、薄布は、糸状になった素材を編んで構成されている場合は、この多数の糸間の距離が孔となった状態、いわゆるメッシュ生地の状態で実現することができ、皮革である場合は、皮革に多数の孔をあけることにより実現できる。より具体的には、布又は人革に多数の小孔が形成されたものであることが好ましい。本図の例は皮革に多数の孔を形成した例を示したものである。
【００２１】
また、この場合において孔の大きさは、通気性等上記の効果を発揮することができる限りにおいて限定されるわけではないが、例えば孔の形状が円形状であれば直径１ｍｍ以上８ｍｍ以下であることが好ましく、より好ましくは５ｍｍ以下である。また四角等の多角形であれば一辺０．５ｍｍ以上８ｍｍ以下であることが好ましく、より好ましくは５ｍｍ以下である。また、この場合において、孔の数は適宜調整可能であり限定されない。この範囲とすることで、上記のように通気性、通音声、光透過性を確保することが可能となる。
【００２２】
また、袋部２の空間は、上記の通り、携帯情報端末を収容するための空間２１を形成するものであり、上記の通り一部において携帯情報端末を出し入れするための開口２３を備えている。この空間２１の大きさとしては、上記の通り、収納する携帯情報端末の大きさにより適宜調整可能であり限定されるわけではないが、いわゆるスマートフォンを対象とする場合は、幅１５ｃｍ×長さ２０ｃｍ×厚さ２ｃｍ程度の大きさの空間を形成することができればよく、サイズは限定されない。
【００２３】
また袋部２の外形も特に限定されるわけではない。ただし、現状においてほぼすべての携帯情報端末の形状が四角形状であることを鑑みると、この袋部２の形状も四角形状であることが好ましいと考えられる。
【００２４】
また、本収容具は、袋部２において袋部２の開閉を行う開閉部２２を備えている。開口２３においては、閉じていなくてもよいが、開閉を制御する開閉部２２を備えることで、これを収容している際の移動等による情報携帯端末の脱落を防止することができる。
【００２５】
この開閉部２２の構造としては、上記機能を有するものである限りにおいて限定されるわけではないが、例えばファスナーや、ボタン及びボタンホールが形成された部材等を例示することができる。この場合のイメージを図２に示しておく。
【００２６】
また、本収容具１は、袋部２に接続される引掛部３と、を備える。引掛部３は、袋部２を使用者が常時持ち運ぶことができるよう付されるものである。引掛部３の具体的な構造としては特に限定されるわけではないが、紐部材や、カラビナ、リング、スナップフック等の吊具を例示することができるが限定されない。この場合のイメージを図３に示しておく。本収容具１は、このような構成により、常時体に密着させるのではなく、体から離して配置することが可能となり、通気性等を保ちながら持ち運びを可能とするといった効果がある。特に、このようにすることで、前かがみになる等の動作によってポケット等から床に落ちて破損してしまうおそれを防ぐことができる。また、カバン等に入れておくと取り出しにくい、他の物と接触して傷をつけてしまうという恐れもない。
【００２７】
以上、本発明によって、携帯電話の高熱状態を抑え、より安定的に持ち運びが便利な携帯情報端末収容具を提供することができる。特に、持ち運びつつ冷却が可能であるため、このために使用者が行うことには携帯情報端末の使用を控える、省電力モードに切り替える等を行う必要はなく、着信があった場合でもその音又は光を認識しやすいといった利点もある。
【産業上の利用可能性】
【００２８】
本発明は携帯情報端末収容具として産業上の利用可能性がある。
【図１】
2019136054.tif 000003
【図２】
2019136054.tif 000004
【図３】
2019136054.tif 000005